(57)【特許請求の範囲】
【請求項１】
カムフォロアを有する第１コネクタと、
前記第１コネクタと嵌合可能な第２コネクタと、
カム機能部を有し、前記第２コネクタに回動可能に取り付けられたレバーとを備え、
前記第１コネクタは、前記第２コネクタとの嵌合方向に対して交差する方向に並ぶように複数設けられ、
前記第２コネクタは、前記第１コネクタと個別に嵌合し得るように複数設けられ、
前記カム機能部と前記カムフォロアとを係合させた状態で前記レバーを回動操作することで生じる倍力作用により、前記第１コネクタと前記第２コネクタを嵌合するようになっているレバー式コネクタにおいて、
前記レバーは、
少なくとも一方に前記カム機能部が形成され、前記第２コネクタの外面に沿って回動変位するように前記第２コネクタに支持された一対のアーム部と、
前記一対のアーム部同士を連結する連結部と、
前記連結部又は前記アーム部から、前記レバーの回動中心とは反対側へ片持ち状に延出した形態の操作部とを備えて構成され、
前記第１コネクタと前記第２コネクタが嵌合した状態では、前記操作部は、その操作部が設けられている前記第２コネクタに隣接する前記第２コネクタの外面に沿うように配されるようになっていることを特徴とするレバー式コネクタ。
【請求項２】
前記第１コネクタは、対をなして並ぶように配置され、
前記第２コネクタは、前記対をなす第１コネクタと個別に嵌合し得るように対をなして設けられ、
前記対をなす第２コネクタには、夫々、操作部の数が１つだけとされた前記レバーが個別に設けられ、
対をなす前記レバーは、前記両コネクタが嵌合した状態において、前記両コネクタの嵌合方向と平行に投影した投影面上において点対称な形状及び配置とされていることを特徴とする請求項１記載のレバー式コネクタ。
【請求項３】
前記操作部は、前記連結部から前記アーム部と略平行に且つ前記アーム部とは反対方向へ延出した形態とされているとともに、前記一対のアーム部の並び方向において前記アーム部の外面よりも外方にずれた配置とされていることを特徴とする請求項１又は請求項２に記載のレバー式コネクタ。
【発明の詳細な説明】
【技術分野】
【０００１】
本発明は、レバー式コネクタに関するものである。
【背景技術】
【０００２】
特許文献１には、機器に設けた雄コネクタと、レバーが取り付けられた雌コネクタとを備え、レバーの回動による倍力作用を利用して両コネクタを嵌合するレバー式コネクタが開示されている。この種のコネクタにおいて極数が多くなった場合には、１つのレバーだけで嵌合操作を行うことが困難になるため、その対策としては、雄コネクタにおける嵌合部を複数に分割するとともに、各嵌合部に対応するように複数の雌コネクタを設け、各雌コネクタにレバーを取り付けて、各雌コネクタを個別に嵌合する構造が考えられる。この場合、雌雄両コネクタを嵌合した状態では、複数の雌コネクタが接近して並ぶことになる。
【先行技術文献】
【特許文献】
【０００３】
【特許文献１】特開２００５−１１６４６８号公報
【発明の概要】
【発明が解決しようとする課題】
【０００４】
レバーの回動操作性を向上させるためには、レバーの回動中心から作業者が手を掛ける操作部までの距離を長くして操作力を低減することが必要である。しかし、上記のように複数の雌コネクタを接近して並べた構造のものでは、レバーの操作部が、隣接するコネクタやそのコネクタに設けたレバー等のような他部材と干渉することが懸念される。レバーと他部材との干渉を回避するための対策としては、回動中心から操作部までの長さを短くすることが考えられるが、このようにすると、レバーの操作性低下を招くという不具合を生じることになる。
【０００５】
本発明は上記のような事情に基づいて完成されたものであって、レバーの操作性低下を来すことなく、レバーと他部材との干渉を回避できるようにすることを目的とする。
【課題を解決するための手段】
【０００６】
上記の目的を達成するための手段として、請求項１の発明は、カムフォロアを有する第１コネクタと、前記第１コネクタと嵌合可能な第２コネクタと、カム機能部を有し、前記第２コネクタに回動可能に取り付けられたレバーとを備え、前記第１コネクタは、前記第２コネクタとの嵌合方向に対して交差する方向に並ぶように複数設けられ、前記第２コネクタは、前記第１コネクタと個別に嵌合し得るように複数設けられ、前記カム機能部と前記カムフォロアとを係合させた状態で前記レバーを回動操作することで生じる倍力作用により、前記第１コネクタと前記第２コネクタを嵌合するようになっているレバー式コネクタにおいて、前記レバーは、少なくとも一方に前記カム機能部が形成され、前記第２コネクタの外面に沿って回動変位するように前記第２コネクタに支持された一対のアーム部と、前記一対のアーム部同士を連結する連結部と、前記連結部又は前記アーム部から、前記レバーの回動中心とは反対側へ片持ち状に延出した形態の操作部とを備えて構成され、前記第１コネクタと前記第２コネクタが嵌合した状態では、前記操作部は、その操作部が設けられている前記第２コネクタに隣接する前記第２コネクタの外面に沿うように配されるようになっているところに特徴を有する。
【０００８】
請求項２の発明は、請求項１に記載のものにおいて、前記第１コネクタは、対をなして並ぶように配置され、前記第２コネクタは、前記対をなす第１コネクタと個別に嵌合し得るように対をなして設けられ、前記対をなす第２コネクタには、夫々、操作部の数が１つだけとされた前記レバーが個別に設けられ、対をなす前記レバーは、前記両コネクタが嵌合した状態において、前記両コネクタの嵌合方向と平行に投影した投影面上において点対称な形状及び配置とされているところに特徴を有する。
【０００９】
請求項３の発明は、請求項１又は請求項２に記載のものにおいて、前記操作部は、前記連結部から前記アーム部と略平行に且つ前記アーム部とは反対方向へ延出した形態とされているとともに、前記一対のアーム部の並び方向において前記アーム部の外面よりも外方にずれた配置とされているところに特徴を有する。
【発明の効果】
【００１０】
＜請求項１の発明＞
一対のアーム部を有するレバーでは、両アーム部を一体回転させるために連結する必要があるが、本発明では、連結部を操作部とは別に設けているので、連結部の形態は、レバーの操作性を勘案せずに他部材との干渉回避を優先して設定することができる。一方、操作性との関連性が高い操作部は、片持ち状に延出する形態としたので、他部材との干渉を生じ難い。したがって、操作部の寸法や形状等の設定に際しては、両アーム部を連結した形態の操作部に比べて、操作性を優先させることができる。これにより、レバーの操作性低下を来すことなく、レバーと他部材との干渉を回避することができる。
【００１１】
また、両コネクタが嵌合した状態では、操作部は、その操作部が設けられている第２コネクタに隣接する第２コネクタの外面に沿うように配されるので、複数の第１コネクタと複数の第２コネクタを並べて配置しても、操作部が第２コネクタと干渉することはない。
【００１２】
＜請求項２の発明＞
操作部の数を１つだけとし、両コネクタが嵌合した状態では、対をなすレバーの形状と配置が点対称となるようにしたので、両レバーの全体を、両コネクタの外面に接近させた状態にすることができる。したがって、操作部が第２コネクタから遠ざかる方向へ突き出した形態となるものに比べると、小型化を図ることが可能である。
【００１３】
＜請求項３の発明＞
両コネクタが嵌合した状態では、操作部は、隣接する第２コネクタのアーム部を挟んで、この隣接する第２コネクタの外面とは反対側に位置するのであるが、操作部を、一対のアーム部の外面よりも外方に配置しているので、同一寸法及び形状のレバーを、アーム部と操作部とが重なるように並べることができる。レバーの寸法が同じであるということは、一対のアーム部の間隔が同じであることを意味するので、レバーの回動中心軸と平行な方向の寸法が同じであるコネクタを並べて配置することができる。
【図面の簡単な説明】
【００１４】
【図１】実施形態１において一対の第１コネクタと一対の第２コネクタが嵌合した状態をあらわす斜視図
【図２】一対の第１コネクタと一対の第２コネクタが嵌合した状態をあらわす平面図
【図３】一方の第１コネクタと一方の第２コネクタの嵌合途中の状態をあらわす側面図
【図４】一方の第１コネクタと一方の第２コネクタのみが嵌合した状態をあらわす斜視図
【図５】一方の第１コネクタと一方の第２コネクタのみが嵌合した状態をあらわす平面図
【図６】一方の第１コネクタと一方の第２コネクタのみが嵌合した状態をあらわす側面図
【図７】第２コネクタの未嵌合の状態をあらわす斜視図
【図８】第２コネクタからレバーを外した状態をあらわす側面図
【図９】実施形態２において第１コネクタと第２コネクタが嵌合した状態をあらわす概略平面図
【図１０】実施形態３において第１コネクタと第２コネクタが嵌合した状態をあらわす概略平面図
【図１１】実施形態４において第１コネクタと第２コネクタが嵌合した状態をあらわす概略平面図
【発明を実施するための形態】
【００１５】
＜実施形態１＞
以下、本発明を具体化した実施形態１を図１乃至図８を参照して説明する。本実施形態１のレバー式コネクタＡは、車両のＥＣＵ（図示省略）等の機器に適用したものであり、機器の筐体の外面を構成する上壁部Ｗに一体に形成した左右一対の第１コネクタ１０Ｌ，１０Ｒと、この一対の第１コネクタ１０Ｌ，１０Ｒに個別に嵌合される一対の第２コネクタ２０Ｌ，２０Ｒとを備えて構成され、両コネクタ１０Ｌ，２０Ｌ，１０Ｒ，２０Ｒをレバー３０Ｌ，３０Ｒによって嵌合するようにしたものである。尚、以下の説明において上下方向は、図３及び図６に示すように、第１コネクタ１０Ｌ，１０Ｒがその正面を上向きとした状態、及び第２コネクタ２０Ｌ，２０Ｒがその正面を下向きにした状態を基準として説明する。前後方向については、図３及び図６に表れる側を前側とし、図２及び図５における下側を前側とする。
【００１６】
左側の第１コネクタ１０Ｌと右側の第１コネクタ１０Ｒは、形状、寸法、極数等が同一となっている。各第１コネクタ１０Ｌ，１０Ｒは、筐体の上壁部Ｗの外面から突出して上方に開放された略角筒状のフード部１１を有している。上壁部Ｗには、複数の雄形をなす周知形態の第１端子金具（図示省略）が貫通した状態で保持されており、複数の第１端子金具の先端部（上端部）は、フード部１１によって包囲されている。そして、各第１コネクタ１０Ｌ，１０Ｒの平面形状は、左右対称であり且つ点対称な形状となっている。
【００１７】
フード部１１を構成する前後両壁部には、その外面から突出する前後対称な一対のカムフォロア１２が形成されている。前後両カムフォロア１２は、軸線を前後方向に向けた略円柱状をなし、同軸状に配置されている。左右方向において、両カムフォロア１２は、フード部１１（第１コネクタ１０Ｌ，１０Ｒ）の中央に位置している。カムフォロア１２の軸線は、両コネクタ１０Ｌ，２０Ｌ，１０Ｒ，２０Ｒが嵌合する過程及び両コネクタ１０Ｌ，２０Ｌ，１０Ｒ，２０Ｒが嵌合した状態では、後述するレバー３０Ｌ，３０Ｒの回動中心の軸線３８と平行をなす。したがって、一対の第１コネクタ１０Ｌ，１０Ｒは、レバー３０Ｌ，３０Ｒの回動中心の軸線３８と直交する方向に並んでいることになる。
【００１８】
左側の第２コネクタ２０Ｌと右側の第２コネクタ２０Ｒは、形状、寸法、極数等が同一となっている。各第２コネクタ２０Ｌ，２０Ｒは、フード部１１内に嵌入可能なブロック状をなす端子収容部２１と、端子収容部２１を全周に亘って包囲するとともにフード部１１に対して外嵌可能な略角筒状の筒状嵌合部２２とを一体に形成したものである。筒状嵌合部２２は、その背面側（上側）の端部において端子収容部２１の外周面に連なっている。端子収容部２１の外周面と筒状嵌合部２２の内周面との隙間は、フード部１１を嵌入させるための嵌合空間となっている。端子収容部２１内には、複数の雌形をなす周知形態の第２端子金具（図示省略）が収容されている。そして、各第２コネクタ２０Ｌ，２０Ｒの平面形状は、左右対称であり且つ点対称な形状となっている。
【００１９】
第２コネクタ２０Ｌ，２０Ｒには、筒状嵌合部２２を構成する前後両板状部の上端縁（背面側の端縁）から上方へ円弧状に突出した形態の前後対称な一対の支持部２３が形成され、この両支持部２３の外面には、前後対称な一対の支持軸２４が突出形成されている。前後の両支持軸２４は、軸線３８を前後方向（つまり、両コネクタ１０Ｌ，２０Ｌ，１０Ｒ，２０Ｒの嵌合時においてカムフォロア１２の軸線と平行な方向）に向けているとともに、互いに同軸状に配置されている。左右方向において、両支持軸２４は、筒状嵌合部２２（第２コネクタ２０Ｌ，２０Ｒ）の中央に位置している。
【００２０】
また、筒状嵌合部２２を構成する前後両板状部には、その下端縁（正面側の端縁）から背面側（上方）へ切欠した形態の逃がし溝２５が、前後対称に一対形成されている。左右方向において、両逃がし溝２５は、両支持軸２４と同じく、筒状嵌合部２２（第２コネクタ２０Ｌ，２０Ｒ）の中央に位置している。端子収容部２１の上端部（背面側端部）は、筒状嵌合部２２よりも上方（背面側）へ突出している。
【００２１】
レバー３０Ｌ，３０Ｒは、前後対称な一対のアーム部３１と、両アーム部３１を連結する連結部３５と、レバー３０Ｌ，３０Ｒを回動操作するための操作部３６Ｌ，３６Ｒとを一体に形成したものであり、第２コネクタ２０Ｌ，２０Ｒに対して初期位置と嵌合位置との間で回動し得るように取り付けられている。左側の第２コネクタ２０Ｌに取り付けられるレバー３０Ｌと、右側の第２コネクタ２０Ｒに取り付けられるレバー３０Ｒは、形状と寸法が同じものであるため、以下のレバー３０Ｌ，３０Ｒの説明では、右側の第２コネクタ２０Ｒに取り付けられているレバー３０Ｒについて説明する。また、前後左右の方向に関しては、レバー３０Ｒが嵌合位置にある状態を基準とする。
【００２２】
アーム部３１は、板状をなし、筒状嵌合部２２の前面と後面に沿うように（つまり、前面と後面に対して僅かに隙間を空けて対向するように）配されている。このアーム部３１と、筒状嵌合部２２の前面及び後面との間の前後方向の位置関係は、レバー３０Ｒが初期位置と嵌合位置との間で回動する過程において、常に一定である。前後両アーム部３１には、前後方向に貫通する一対の軸受孔３２が、同軸状に形成されており、これらの軸受孔３２は、支持軸２４に対して相対的に回動し得るように組み付けられている。レバー３０Ｒは、支持軸２４及び軸受孔３２を中心として初期位置と嵌合位置との間で回動する。
【００２３】
両アーム部３１には、アーム部３１の外周縁に開口する入口３４を有するとともに、入口３４から軸受孔３２に向かって曲線状に延びる経路の溝状をなすカム機能部３３が形成されている。レバー３０Ｒが嵌合位置にある状態では、図６に示すように、カム機能部３３の入口３４はアーム部３１の右側の端縁部に開口し、カム機能部３３の終端部（入口３４と反対側の奥端部）は、軸受孔３２のほぼ真下に位置する。さらに、レバー３０Ｒが嵌合位置にある状態では、アーム部３１の上面は、水平をなし、第２コネクタ２０Ｒの背面（上面）よりも少し上方に位置している。
【００２４】
連結部３５は、両アーム部３１の左側の端部同士を連結しており、支持軸２４の軸線３８と平行に前後方向へ直線状に延びた１本の棒状をなす。連結部３５の厚さ寸法（上下寸法）はアーム部３１に比べて小さく、連結部３５の上面はアーム部３１の上面に対して面一状に連なっている。レバー３０Ｒが嵌合位置にある状態では、連結部３５は、第２コネクタ２０Ｒの背面（上面）における左側縁部に対して上から当接、又は左側縁部に対して僅かな隙間を空けて上から対向するように位置する。
【００２５】
操作部３６Ｒは、板状をなし、連結部３５の前側の端部から左方へ片持ち状に延出した形態である。換言すると、操作部３６Ｒは、連結部３５を挟んでアーム部３１及びレバー３０Ｒの回動中心（支持軸２４及び軸受孔３２）の軸線３８とは反対の方向へ、アーム部３１と平行に延出している。図６に示すように、第２コネクタ２０Ｒとレバー３０Ｒを前方から見たときに、操作部３６Ｒの上下方向における中央を通って操作部３６Ｒの延出方向と平行をなす中心線３７を延長すると、その中心線３７の延長線は、支持軸２４及び軸受孔３２の軸線３８又はその近傍を通る。また、前後方向において、操作部３６Ｒは、前側のアーム部３１に対しその前方（つまり、第２コネクタ２０Ｒとは反対側）にずれた位置関係となっており、操作部３６Ｒの後面は、アーム部３１の前面よりも僅かに前方に位置する。また、操作部３６Ｒの上面はアーム部３１及び連結部３５の上面に対して面一となる（レバー３０Ｒが嵌合位置にある状態では、同じ高さとなる）ように連なっている。
【００２６】
次に、本実施形態の作用を説明する。第２コネクタ２０Ｌ，２０Ｒを第１コネクタ１０Ｌ，１０Ｒに組み付ける際には、いずれか一方の第２コネクタ２０Ｌ，２０Ｒを先に嵌合し、その後、他方の第２コネクタ２０Ｌ，２０Ｒを残りの第１コネクタ１０Ｌ，１０Ｒに嵌合する。本実施形態では、先に、右側の第１コネクタ１０Ｒに第２コネクタ２０Ｒを嵌合する場合について説明する。
【００２７】
右側の第２コネクタ２０Ｒにおいては、予め、レバー３０Ｒを図３及び図７に示す初期位置に保持しておく。初期位置に保持する手段としては、第２コネクタ２０Ｒに形成した係止部（図示省略）とレバー３０Ｒに形成した係止部（図示省略）とを係止させる周知の係止手段を用いることができる。レバー３０Ｒが初期位置にある状態では、図３に示すように、カム機能部３３の入口３４が、左右方向において逃がし溝２５と対応するように位置するとともに、下向きに開口する。また、操作部３６Ｒは、ほぼ上向き（詳しくは、鉛直方向上向きよりも少し左方へ傾いた向き）に延出した姿勢となる。この状態で、第２コネクタ２０Ｒの嵌合空間を第１コネクタ１０Ｒのフード部１１に対して上から浅く嵌合し、カム機能部３３の入口３４にカムフォロア１２を進入させる。
【００２８】
次に、この状態から操作部３６Ｒを摘んでレバー３０Ｒを嵌合位置側（図３における反時計回り方向）へ回動させる。すると、操作部３６Ｒに付与した回動操作力が、カム機能部３３とカムフォロア１２との係合によって増幅され、この倍力作用によって第２コネクタ２０Ｒが第１コネクタ１０Ｒに対して接近させられていく。このときの操作部３６Ｒの変位方向は、第１コネクタ１０Ｒに対する第２コネクタ２０Ｒの嵌合方向（接近方向）と概ね同じ方向であるから、操作性に優れている。そして、レバー３０Ｒが嵌合位置に到達すると、両コネクタ２０Ｒ，２０Ｒが正規の嵌合状態となる。嵌合位置まで回動したレバー３０Ｒは、第２コネクタ２０Ｒに形成した係止部（図示省略）とレバー３０Ｒに形成した係止部（図示省略）とを係止させる周知の係止手段により、初期位置への戻りを規制された状態にロックされる。
【００２９】
この後、左側の第１コネクタ１０Ｌに対し第２コネクタ２０Ｌを嵌合する。このときの嵌合操作は、上記と同じである。そして、左側の第１コネクタ１０Ｌと第２コネクタ２０Ｌが嵌合した状態では、図２に示すように、左側のレバー３０Ｌの操作部３６Ｌが、右側のレバー３０Ｒを構成する後側のアーム部３１の外面（後面）に対して接近して対向するように位置し、左側のレバー３０Ｌを構成する前側のアーム部３１のうち連結部３５側の部分が、左側の第２コネクタ２０Ｌの前面と右側のレバー３０Ｒの操作部３６Ｒの後面との間に進入する。
【００３０】
そして、右側のレバー３０Ｒを構成する前側のアーム部３１と、左側のレバー３０Ｌを構成する前側のアーム部３１は、前後方向において同じ位置となり、左右両第２コネクタ２０Ｌ，２０Ｒの前面に沿って左右に直線状に並ぶ。同様に、右側のレバー３０Ｒを構成する後側のアーム部３１と、左側のレバー３０Ｌを構成する後側のアーム部３１も、前後方向において同じ位置となり、左右両第２コネクタ２０Ｌ，２０Ｒの後面に沿って左右に直線状に並ぶ。
【００３１】
右側の操作部３６Ｒは、前側のアーム部３１よりも前方に位置し、左側の操作部３６Ｌは、後側のアーム部３１よりも後方に位置する。つまり、全てのアーム部３１と操作部３６Ｌ，３６Ｒは、第２コネクタ２０Ｌ，２０Ｒの外面（前面又は後面）に沿うように位置することになる。連結部３５は、平面上において、左右両第２コネクタ２０Ｌ，２０Ｒが占める範囲内に位置する。また、左側のレバー３０Ｌの連結部３５は、右側のレバー３０Ｒの連結部３５に対してその左側に接近して平行に並ぶように位置する。図２に示すように、両レバー３０Ｌ，３０Ｒが嵌合位置にあるときの平面形状は、前後一対のアーム部３１と１つの連結部３５と１つの操作部３６Ｌ，３６Ｒとによって「略ｈ字形」となり、左右のレバー３０Ｌ，３０Ｒが点対称な位置関係で接近して配置される。また、図１に示すように、尚、右側のレバー３０Ｒの上面と左側のレバー３０Ｌの上面は、同じ高さとなる。
【００３２】
一対のアーム部３１を有するレバー３０Ｌ，３０Ｒでは、両アーム部３１を一体回転させるために連結する必要があるが、本実施形態では、連結部３５を操作部３６Ｌ，３６Ｒとは別に設けているので、連結部３５の形態は、レバー３０Ｌ，３０Ｒの操作性を勘案せずに他部材との干渉回避を優先して設定することができる。一方、操作性との関連性が高い操作部３６Ｌ，３６Ｒは、片持ち状に延出する形態としたので、他部材との干渉を生じ難い。したがって、操作部３６Ｌ，３６Ｒの寸法や形状等の設定に際しては、両アーム部を連結した形態の操作部に比べて、操作性を優先させることができる。これにより、レバー３０Ｌ，３０Ｒの操作性低下を来すことなく、レバー３０Ｌ，３０Ｒと他部材との干渉を回避することができる。
【００３３】
また、第１コネクタ１０Ｌ，１０Ｒは、第２コネクタ２０Ｌ，２０Ｒとの嵌合方向（上下方向）に対してほぼ直角に交差する方向（左右方向）に並ぶように複数設けられ、第２コネクタ２０Ｌ，２０Ｒは、第１コネクタ１０Ｌ，１０Ｒと個別に嵌合し得るように複数設けられ、両コネクタ１０Ｌ，２０Ｌ，１０Ｒ，２０Ｒが嵌合した状態では、操作部３６Ｌ，３６Ｒは、その操作部３６Ｌ，３６Ｒが設けられている第２コネクタ２０Ｌ，２０Ｒに隣接する第２コネクタ２０Ｒ，２０Ｌの外面に沿うように配される。したがって、一対の第１コネクタ１０Ｌ，１０Ｒと一対の第２コネクタ２０Ｌ，２０Ｒを並べて配置しても、操作部３６Ｌ，３６Ｒが第２コネクタ２０Ｌ，２０Ｒと干渉することはない。
【００３４】
また、第１コネクタ１０Ｌ，１０Ｒは、対をなして左右に並ぶように配置され、第２コネクタ２０Ｌ，２０Ｒは、対をなす第１コネクタ１０Ｌ，１０Ｒと個別に嵌合し得るように対をなして左右に配されるように設けられ、対をなす第２コネクタ２０Ｌ，２０Ｒには、夫々、操作部３６Ｌ，３６Ｒの数が１つだけとされたレバー３０Ｌ，３０Ｒが個別に設けられ、対をなすレバー３０Ｌ，３０Ｒは、両コネクタ１０Ｌ，２０Ｌ，１０Ｒ，２０Ｒが嵌合した状態において、両コネクタ１０Ｌ，２０Ｌ，１０Ｒ，２０Ｒの嵌合方向（上下方向）と平行に投影した投影面（平面）上において点対称な形状及び配置とされている。この構成によれば、両レバー３０Ｌ，３０Ｒの全体を、両コネクタ１０Ｌ，２０Ｌ，１０Ｒ，２０Ｒの外面に接近させた状態にすることができるので、操作部３６Ｌ，３６Ｒが第２コネクタ２０Ｌ，２０Ｒから遠ざかる方向へ突き出した形態となるものに比べると、小型化が実現されている。
【００３５】
また、操作部３６Ｌ，３６Ｒは、連結部３５からアーム部３１と略平行に且つアーム部３１とは反対方向へ延出した形態とされているとともに、一対のアーム部３１の並び方向においてアーム部３１の外面よりも外方にずれた配置とされている。この構成によれば、両コネクタ１０Ｌ，２０Ｌ，１０Ｒ，２０Ｒが嵌合した状態において、操作部３６Ｌ，３６Ｒが、隣接する第２コネクタ２０Ｒ，２０Ｌのアーム部３１を挟んで、この隣接する第２コネクタ２０Ｒ，２０Ｌの外面とは反対側に位置するのであるが、操作部３６Ｌ，３６Ｒを、一対のアーム部３１の外面よりも外方に配置しているので、同一寸法及び形状のレバー３０Ｌ，３０Ｒを、アーム部３１と操作部３６Ｌ，３６Ｒとが重なるように並べることが実現されている。レバー３０Ｌ，３０Ｒの寸法が同じであるということは、一対のアーム部３１の間隔が同じであることを意味するので、レバー３０Ｌ，３０Ｒの回動中心の軸線３８と平行な前後方向の寸法が同じである同一の第２コネクタ２０Ｌ，２０Ｒを並べて配置することが実現され、ひいては、前後方向の寸法が同じである同一の第１コネクタ１０Ｌ，１０Ｒを並べて配置することが実現されている。
【００３６】
＜実施形態２＞
次に、本発明を具体化した実施形態２を図９を参照して説明する。本実施形態２のレバー式コネクタＢは、第２コネクタ４０の数、及びレバー５０の向きを上記実施形態１とは異なる構成としたものである。その他の構成については上記実施形態１のレバー式コネクタＡと同じであるため、同じ構成については、同一符号を付し、構造、作用及び効果の説明は省略する。
【００３７】
第２コネクタは、一定のピッチで左右に一列に並ぶように３つ以上配置されており、全ての第２コネクタには、レバー５０が取り付けられている。レバー５０は、実施形態１のレバー３０Ｌ，３０Ｒと同じく、一対のアーム部５１を連結部５２で連結し、連結部５２の一方の端部から操作部５３を片持ち状に延出させた形態である。全てのレバー５０は、同じ姿勢（つまり、全ての操作部５３が右方へ延出する向き）で取り付けられている。
【００３８】
レバー５０が嵌合位置に回動した状態では、各操作部５３が、その右側に隣接するレバー５０の後側のアーム部５１の外面（後面）に対して接近して対向するように位置する。また、連結部５２は、その連結部５２が支持されている第２コネクタ４０と、この第２コネクタ４０の右側に隣接する第２コネクタ４０との間に位置する。
【００３９】
＜実施形態３＞
次に、本発明を具体化した実施形態３を図１０を参照して説明する。本実施形態３のレバー式コネクタＣは、レバー６０の形態を上記実施形態２のレバー５０とは異なる構成としたものである。その他の構成については上記実施形態１と同じであるため、同じ構成については、同一符号を付し、構造、作用及び効果の説明は省略する。
【００４０】
上記実施形態２のレバー５０では操作部５３の数が１つだけであるのに対し、本実施形態３のレバー６０は、操作部６３が前後対称に一対設けられている。そして、全ての第２コネクタ４０には、レバー６０が同じ向き（つまり、操作部６３が右方へ延出する向き）で取り付けられている。
【００４１】
レバー６０が嵌合位置に回動した状態では、前側の操作部６３が、その右側に隣接するレバー６０の前側のアーム部６１の外面（前面）に対して接近して対向するとともに、後側の操作部６３が、その右側に隣接するレバー６０の後側のアーム部６１の外面（後面）に対して接近して対向するように位置する。つまり、前後の操作部６３が、その右側に隣接するレバー６０の前後両アーム部６１を前後に挟むように位置する。また、連結部６２は、その連結部６２が支持されている第２コネクタ４０と、この第２コネクタ４０の右側に隣接する第２コネクタ４０との間に位置する。
【００４２】
＜実施形態４＞
次に、本発明を具体化した実施形態４を図１１を参照して説明する。本実施形態４のレバー式コネクタＤは、第２コネクタ４０の配置、及びレバー７０の形態を上記実施形態２のレバー式コネクタＢとは異なる構成としたものである。その他の構成については上記実施形態２と同じであるため、同じ構成については、同一符号を付し、構造、作用及び効果の説明は省略する。
【００４３】
上記実施形態２では第２コネクタ４０が左右に一列に並んでいるのに対し、本実施形態４では、第２コネクタ７０Ｆ，７０Ｒを、前列と後列にずれた千鳥配置となるように配されている。また、上記実施形態２のレバー５０では、回動中心の軸線３８が前後方向を向いていたのに対し、本実施形態４のレバー８０Ｆ，８０Ｒでは、回動中心の軸線３８が左右方向を向いている。実施形態２のレバー５０では、操作部５３が、連結部５２の後側の端部から右方へ延出していたのに対し、本実施形態４のレバー８０Ｆ，８０Ｒでは、操作部８３が、連結部８２の前後方向におるけ中央位置からレバー８０Ｆ，８０Ｒの回動中心（アーム部８１）とは反対の前方又は後方へ延出するように設けられている。
【００４４】
レバー８０Ｆ，８０Ｒが嵌合位置に回動した状態では、前列のレバー８０Ｆの操作部８３が、後方へ延出し、後列のレバー８０Ｒのアーム部８１の外面に対して接近して対向する（並ぶ）ように位置する。一方、後列のレバー８０Ｒの操作部８３は、前方へ延出し、前列のレバー８０Ｆのアーム部８１の外面に対して接近して対向する（並ぶ）ように位置する。これにより、前列のレバー８０Ｆの操作部８３は、後列の左右に隣接する２つのレバー８０Ｒのアーム部８１の間に挟まれるように位置し、後列のレバー８０Ｒの操作部８３は、前列の左右に隣接する２つのレバー８０Ｆのアーム部８１の間に挟まれるように位置する。
【００４５】
＜他の実施形態＞
本発明は上記記述及び図面によって説明した実施形態に限定されるものではなく、例えば次のような実施形態も本発明の技術的範囲に含まれる。
（１）上記実施形態１〜３では、１つの操作部を連結部から延出させた形態としたが、１つの操作部を、アーム部から延出させる形態であってもよい。
（２）上記実施形態４では、２つの操作部を連結部のみから延出させた形態としたが、２つの操作部をアーム部のみから延出させる形態であってもよく、一方の操作部を連結部から延出させ、他方の操作部をアーム部から延出させる形態であってもよい。
（３）上記実施形態では、カム機能部を一対のアーム部の両方に形成したが、カム機能部は、一対のアーム部のいずれか一方のみに形成してもよい。
（４）上記実施形態では、１つの機器に複数の第１コネクタを隣接して配置し、各第１コネクタの第２コネクタを個別に嵌合するようにしたが、本発明は、１つの機器において第１コネクタが他部材と隣接せずに配置されている場合にも適用できる。
（５）上記実施形態１では、第１コネクタと第２コネクタが、夫々、一対ずつ設けられている場合について説明したが、本発明は、第１コネクタと第２コネクタが、夫々、複数対ずつ設けられている場合も適用できる。
（６）上記実施形態では、第１コネクタと第２コネクタの数が、夫々、複数ずつである場合について説明したが、本発明は、第１コネクタと第２コネクタの数が、夫々、１つである場合にも適用できる。
（７）上記実施形態では、複数のレバーの形状と寸法が同一である場合について説明したが、形状と寸法のうち少なくとも一方が異なる複数種類のレバーを用いてもよい。
（８）上記実施形態では、操作部がほぼ真っ直ぐに延出する形態としたが、操作部は、屈曲した形状であってもよい。
【符号の説明】
【００４６】
Ａ…レバー式コネクタ
１０Ｌ，１０Ｒ…第１コネクタ
２０Ｌ，２０Ｒ…第２コネクタ
１２…カムフォロア
３３…カム機能部
３０Ｌ，３０Ｒ…レバー
３１…アーム部
３５…連結部
３６Ｌ，３６Ｒ…操作部
Ｂ，Ｃ，Ｄ…レバー式コネクタ
４０，７０Ｆ，７０Ｒ…第２コネクタ
５０，６０，８０Ｆ，８０Ｒ…レバー
５１，６１，８１…アーム部
５２，６２，８２…連結部
５３，６３，８３…操作部
【図１】
0005408005.tif 000002
【図２】
0005408005.tif 000003
【図３】
0005408005.tif 000004
【図４】
0005408005.tif 000005
【図５】
0005408005.tif 000006
【図６】
0005408005.tif 000007
【図７】
0005408005.tif 000008
【図８】
0005408005.tif 000009
【図９】
0005408005.tif 000010
【図１０】
0005408005.tif 000011
【図１１】
0005408005.tif 000012